(57)【要約】【課題】効率よく発電を行うことができるとともに、時計等に組み込んだ際に文字板側に特別な加工等を施すことなく美しい外観を実現することのできるソーラーパネル、表示装置及び時計を提供する。【解決手段】複数のソーラーセルを備えるソーラーパネルであって、複数のソーラーセル５１の各ソーラーセルは、複数の発電領域と、複数の発電領域を接続し、複数の発電領域より発電量が小さい接続領域と、を備え、接続領域が隣接して配置された発電機能部６が複数形成されている。【選択図】図２
2020204619.tif 000002
【特許請求の範囲】
【請求項１】
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成されているソーラーパネルと、
表示板と、
を備え、
前記表示板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられ、
前記高透過領域は、前記表示板の一部を切り欠くことで形成された切欠き部であることを特徴とする表示装置。
【請求項２】
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成されているソーラーパネルと、
文字板と、
前記文字板の下に配置されたモジュールと、
を備え、
前記文字板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられ、
前記高透過領域は、前記文字板の一部を切り欠くことで形成された切欠き部であることを特徴とする時計。
【請求項３】
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成されているソーラーパネルと、
文字板と、
前記文字板の下に配置されたモジュールと、
を備え、
前記文字板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられ、
前記文字板は、光を透過しない材料で形成されていることを特徴とする時計。
【請求項４】
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成されているソーラーパネルと、
文字板と、
前記文字板の下に配置されたモジュールと、
を備え、
前記文字板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられ、
前記ソーラーパネルの上方で運針される指針を備え、
前記指針は、スリープ時に前記発電機能部と重ならない位置で停止すること特徴とする時計。
【請求項５】
前記ソーラーパネルの前記発電機能部は、前記切欠き部から露出することを特徴とする請求項１に記載の表示装置。
【請求項６】
前記ソーラーパネルの前記発電機能部は、前記切欠き部から露出することを特徴とする請求項２に記載の時計。
【請求項７】
前記接続領域は、前記発電領域よりも狭く形成されていることを特徴とする請求項２から請求項４のいずれか一項に記載の時計。
【請求項８】
前記高透過領域は、前記文字板の一部を切り欠くことで形成された切欠き部であり、
前記ソーラーパネルの前記発電機能部は、前記切欠き部から露出することを特徴とする請求項３又は請求項４に記載の時計。
【請求項９】
前記文字板は、光を透過しない材料で形成されていることを特徴とする請求項２又は請求項４に記載の時計。
【請求項１０】
前記文字板には、前記ソーラーパネルの位置決め及び固定を行う位置決め固定部が設けられており、前記ソーラーパネルは前記位置決め固定部により前記文字板に位置決め固定されることを特徴とする請求項２から請求項４、請求項６から請求項９のいずれか一項に記載の時計。
【請求項１１】
前記ソーラーパネルと前記モジュールとの間には、前記モジュールの周縁部に沿うリング状の日車が配置されており、
前記ソーラーパネルは、前記モジュールの外周部に少なくとも３点で固定支持されることを特徴とする請求項２から請求項４、請求項６から請求項９のいずれか一項に記載の時計。
【請求項１２】
前記ソーラーパネルの上方で運針される指針を備え、
前記指針は、スリープ時に前記発電機能部と重ならない位置で停止することを特徴とする請求項２又は請求項３に記載の時計。
【請求項１３】
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成され、
前記ソーラーセルは、前記複数の発電領域の上方で運針される指針によって前記複数の発電領域の上にできる前記指針の影の影響を分散させる同心円状に形成されていることを特徴とするソーラーパネル。
【発明の詳細な説明】
【技術分野】
【０００１】
本発明は、ソーラーパネル、表示装置及び時計に関するものである。
【背景技術】
【０００２】
従来、光を受光して発電するソーラーパネルを備える時計が広く知られている。このような時計は、ソーラーパネルにより発電して二次電池に充電させることにより、電池交換を行うことなく長期間使用することが可能である。
例えば腕時計等にソーラーパネルを備えれば、電池交換が不要となり、ユーザにとって扱いやすく便利な時計を実現することができる。
【０００３】
しかし、ソーラーパネルは通常文字板の下側に配置されるため、文字板を形成する材料はソーラーパネルまで光を透過させることのできる光透過性のプラスチック等に限定されてしまい、これに塗装等を施すことで、金属調の質感を出す等の工夫がなされていた。
【０００４】
また、ソーラーパネルは、濃紫色等のシート状のものであり、文字板の上からソーラーパネルが透けて見えると、デザイン的にも好ましくない。そこで、文字板にソーラーパネルの地色が透けて見えないような濃い色の塗装を施すことも考えられる。しかし、これでは文字板の表面が暗くなって見えづらくなり、また、美観も損なってしまう。
【０００５】
このため、例えば特許文献１では、透過性の文字板の下面にプリズムを設け、このプリズムの下面側に半透過反射板を設けることによって、ソーラーパネルへの光透過性を維持しつつ、文字板の表面を明るくし、外観を美しく保つ構成が開示されている。
【先行技術文献】
【特許文献】
【０００６】
【特許文献１】特開２０１１−１７４９４８号公報
【発明の概要】
【発明が解決しようとする課題】
【０００７】
しかしながら、特許文献１に記載の構成による場合には、プラスチック等に塗装等の様々な表面加工を施すなど、文字板の外観を美しく見せるための複雑で繊細な技術を要する。また、プリズム等を配置すると、その分のコストや手間もかかり、全体の製品価格が高くなってしまう。
さらに、光透過性のプラスチックに塗装等を施しても、実際の金属やセラミック等の各種高級材料で形成された文字板と同様の高級感を完全に再現することは困難であるとの問題がある。
【０００８】
本発明は以上のような事情に鑑みてなされたものであり、効率よく発電を行うことができるとともに、時計等に組み込んだ際に文字板側に特別な加工等を施すことなく美しい外観を実現することのできるソーラーパネル、表示装置及び時計を提供することを目的とするものである。
【課題を解決するための手段】
【０００９】
前記課題を解決するために、本発明に係る表示装置は、
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの各ソーラーセルは、前記接続領域を介して前記複数の発電領域を跨いで一繋がりとなっており、
前記複数のソーラーセルの対応する各前記発電領域が隣接して配置された発電機能部が複数形成されているソーラーパネルと、
表示板と、
を備え、
前記表示板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられ、
前記高透過領域は、前記表示板の一部を切り欠くことで形成された切欠き部であることを特徴とする。
【発明の効果】
【００１０】
本発明によれば、効率よく発電を行うことができるとともに、時計等に組み込んだ際に文字板側に特別な加工等を施すことなく美しい外観を実現することができるという効果を奏する。
【図面の簡単な説明】
【００１１】
【図１】本実施形態における時計の正面図である。
【図２】図１に示す時計のモジュール及びソーラーパネル等の組み付け例を示す平面    図である。
【図３】本実施形態におけるソーラーパネルの平面図である。
【図４】（ａ）は、図３におけるＡ−Ａ線に沿う断面図であり、（ｂ）は、図３にお    けるＢ−Ｂ線に沿う断面図であり、（ｃ）は、図３におけるＣ−Ｃ線に沿う断面図で    ある。
【図５】（ａ）は、本実施形態におけるインダイヤル及びその周辺の断面図であり、    （ｂ）は、インダイヤル及びその周辺の一変形例の構成を示す断面図であり、（ｃ）    は、インダイヤル及びその周辺の一変形例の構成を示す断面図であり、（ｄ）は、（    ｃ）において一点鎖線で囲んだ部分の一変形例を示す断面図である。
【図６】ソーラーパネルの一変形例を示す平面図である。
【図７】ソーラーパネルの一変形例を示す平面図である。
【図８】ソーラーパネルの一変形例をＧＰＳアンテナの上に配置した例を示す平面図    である。
【発明を実施するための形態】
【００１２】
図１から図５を参照しつつ、本発明に係るソーラーパネル及びこれを適用した表示装置としての時計の一実施形態について説明する。
なお、以下に述べる実施形態には、本発明を実施するために技術的に好ましい種々の限定が付されているが、本発明の範囲を以下の実施形態及び図示例に限定するものではない。
【００１３】
図１は、本実施形態における表示装置としての時計を示す正面図である。
図１に示すように、本実施形態における時計１００は、ケース（以下、実施形態において「時計ケース１」とする。）を備えている。時計ケース１は、例えばステンレスやチタニウム等の金属やセラミック、各種の合成樹脂等で形成されている。なお、時計ケース１を形成する材料はここに例示したものに限定されない。
本実施形態の時計ケース１は、中空の短柱形状に形成されており、時計１００の表面側（時計における視認側）には、透明なガラス等で形成された風防部材１１が取り付けられている。また、時計１００の裏面側には、図示しない裏蓋が取り付けられている。
この時計ケース１の図１における上下両端部、つまりアナログ方式の時計における１２時方向側の端部及び６時方向側の端部には、図示しない時計バンドが取り付けられるバンド取付け部１３が設けられている。
また、時計１００は、時計ケース１の側部等に操作ボタン１４（本実施形態では竜頭）を備えている。
【００１４】
また、時計１００（表示装置）は、文字板１６（表示板）を備える表示部１５と、文字板１６の下に配置されたモジュール２と、文字板１６とモジュール２との間に配置されたソーラーパネル５とを備えている。
ソーラーパネル５は、後述するように光を受光することで発電する発電機能を備えており、ソーラーパネル５により光発電を行って得られた発電電力は二次電池に蓄えられる。
文字板１６を備える表示部１５、モジュール２及びソーラーパネル５は、時計ケース１内に収容されている。
【００１５】
モジュール２は、後述する主要指針１７ａや小指針１７ｂを運針させるためのモータや輪列機構等で構成される時計ムーブメント（いずれも図示せず）、各種電子部品等を実装した図示しない基板、時計１００の各機能部に電力を供給するための二次電池（図示せず）等を含んでいる。
また、モジュール２からは、主要指針１７ａが取り付けられる指針軸１９ａ、小指針１７ｂが取り付けられる指針軸１９ｂが文字板１６及びソーラーパネル５を貫通して文字板１６及びソーラーパネル５の上に突出している。
主要指針１７ａは指針軸１９ａが軸心周りに回転することで文字板１６及びソーラーパネル５の上方で運針され、小指針１７ｂは指針軸１９ｂが軸心周りに回転することで文字板１６及びソーラーパネル５の上方で運針される。
なお、主要指針１７ａ及び小指針１７ｂはスリープ時（電力消費を抑える節電状態）には運針が止まるようになっていることが好ましい。そして、このスリープ時においては、指針のうち、少なくとも主要指針１７ａについて、後述するソーラーパネル５の発電機能部６（６ａ〜６ｃ）と重ならない位置で停止させることが好ましい。
指針が発電機能部６（６ａ〜６ｃ）の上方で停止すると、発電機能部６（６ａ〜６ｃ）の上に指針による影ができ、その分発電機能部６（６ａ〜６ｃ）による発電効率が低下してしまう。指針のうち、特に主要指針１７ａは小指針１７ｂと比べて長さや幅が大きいため、発電機能部６（６ａ〜６ｃ）の発電効率に与える影響も大きく、スリープ時の停止位置を発電機能部６（６ａ〜６ｃ）の上方からずらすことで発電効率の維持、向上が期待できる。
【００１６】
本実施形態のモジュール２には、アナログ時計における１２側と６時側の上面周縁部にそれぞれ位置決め用のボス２２が突出形成されている。ボス２２は後述するように、ソーラーパネル側に設けられている係止凹部７１に係止されるようになっている。
また、モジュール２には、アナログ時計における９時側の上面周縁部に時計の厚み方向に突出する位置決め用の突状部２３が形成されている。突状部２３は後述するように、ソーラーパネル側に設けられている切欠き部７２に係止されるようになっている。
【００１７】
さらに、モジュール２の上には図示しない基板が搭載されており、基板におけるソーラーパネル用端子（図示せず）とソーラーパネル５の側の端子部５２（５２ａ，５２ｂ、図２、図３参照）とを繋ぐ位置には、例えばスプリング状のコネクタ２４（２４ａ，２４ｂ、図２参照）が配置されている。
なお、時計１００では、文字板１６の周縁部を覆うようにリング状の見切り部材１６３が設けられている。本実施形態では、図２に示すように、基板のソーラーパネル用端子（図示せず）と電気的に接続されるソーラーパネル５の側の端子部５２がモジュール２の周縁部に配置されるため、コネクタ２４も見切り部材１６３の下に位置する。
スプリング状のコネクタ２４はモジュール２側から視認側に向かってソーラーパネル５を押し上げるため、文字板１６が光透過性のあるものの場合には、コネクタ２４による圧力痕が文字板１６の視認側から透けて見えてしまい時計１００の美観を損なう。この点、本実施形態のようにコネクタ２４を見切り部材１６３の下に配置されるようにした場合には、仮にコネクタ２４による圧力痕が現れたとしても見切り部材１６３によって覆われてしまうため、時計１００の美観を損なわない。
なお、本実施形態では後述するように文字板１６が光を透過しない金属等で形成されている。このため、コネクタ２４を見切り部材１６３から外れた位置に配置してもコネクタ２４による圧力痕が文字板１６の視認側から透けて見えることはなく、コネクタ２４及びこれによって接続される基板のソーラーパネル用端子とソーラーパネル５の端子部５２の配置の自由度が高い。
また、見切り部材１６３によってコネクタ２４を目隠しする必要がないため、コネクタ２４の位置に関わりなく見切り部材１６３をデザインし、配置することができる。このため、見切り部材１６３の幅を狭くして文字板１６を広く視認できるようにする構成等を採用することも可能である。
【００１８】
表示部１５は、図１に示すように、時計ケース１の内部であって、風防部材１１の下側に設けられている。
本実施形態の表示部１５は、図１に示すように、文字板１６及びこの文字板１６の上方に配置された時針、分針、秒針からなる主要指針１７ａ、各種機能針等の小指針１７ｂを備えるアナログ方式の表示部である。
本実施形態において文字板１６は、例えば金属やセラミック等の光を透過しない（全く透過しない場合の他、ほとんど透過しない場合を含む）材料で形成されている。
文字板１６の表面側の周縁部には、主要指針１７ａ（時針、分針、秒針）によって示される時刻の目安となる時字部材１６１が配置されている。
また、本実施形態の時計１００は、図２に示すように、ソーラーパネル５とモジュール２との間（モジュール２の上であってソーラーパネル５よりも下方）に、モジュール２の周縁部に沿うリング状の日車２１が配置されている。日車２１は、周方向に沿って日付を示す数字等が付された回転体であり、文字板１６の外周部近傍であって、アナログ時計における４時に相当する位置には、日車２１に付された日付を視認側に露出させる窓部１６２が設けられている（図１参照）。なお、窓部１６２の配置等は図示例に限定されない。なお、日車２１を備えることは必須ではない。
【００１９】
さらに、本実施形態では、主要指針１７ａである時針、分針、秒針によって時刻を表示させる主たる表示部の他に、小指針１７ｂである機能針を備えるインダイヤル（小表示部）１８等が表示部１５内に設けられている。
インダイヤル１８では、例えば時針、分針、秒針によって表示される主たる時刻（例えば、時計１００を東京で使用する際には東京の現在時刻）とは異なる都市や地域の時刻（例えばニューヨークの現在時刻等）等を表示させることができる。
本実施形態では、主要指針１７ａが取り付けられる指針軸１９ａの周りであってアナログ時計における１２時側、９時側、６時側の位置にそれぞれインダイヤル１８が設けられている。
文字板１６においてこのインダイヤル１８のフェイスに対応する部分は、文字板１６の一部を切り欠くことで形成された切欠き部としての開口部１８１となっている。開口部１８１の周囲には、リング状の加飾部１８３が開口部１８１の周りを縁取るように設けられている。加飾部１８３には、例えば時計１００における見切り部材１６３と同様に周方向に沿って目盛り等が印刷や蒸着、植字等により付されていてもよい。なお、開口部１８１の周囲に加飾部１８３を設けることは必須ではなく、加飾部１８３を設けない構成としてもよい。
【００２０】
前述のように、本実施形態の文字板１６は、光を透過させない材料で形成されており、インダイヤル１８に設けられた開口部１８１のみが光を透過させる部分となる。
すなわち、文字板１６は、光の透過率の高い高透過領域と、この高透過領域よりも光の透過率の低い低透過領域とを有しており、本実施形態では、図１に示すように、３つのインダイヤル１８に設けられた開口部１８１が高透過領域Ａｒ１〜Ａｒ３となり、文字板１６の開口部１８１以外の部分が高透過領域Ａｒ１〜Ａｒ３よりも光の透過率の低い低透過領域となる。
本実施形態では、後述するように光を受光することで発電する発電機能を有する発電機能部６（本実施形態では発電機能部６ａ〜６ｃ）がソーラーパネル５に設けられており、高透過領域Ａｒ１〜Ａｒ３であるインダイヤル１８の開口部１８１は、ソーラーパネル５における発電機能部６が配置される領域に対応して設けられている。
なお、開口部１８１以外の部分は低透過領域（本実施形態ではほぼ透過率ゼロ）であるため、ソーラーパネル５のうち、開口部１８１以外の部分に対応する位置に配置される部分については遮光された状態となる。
【００２１】
モジュール２及びその上に配置された日車２１の上方であって文字板１６の下方には、ソーラーパネル５が配置されている。
図２は、時計内へのソーラーパネルの組み付け例を示した図であり、ソーラーパネルをモジュール及び日車の上に配置した状態を示す平面図である。
なお、ソーラーパネル５がモジュール２や日車２１の表面と直接接触することで互いに擦れて損傷することを防ぐために、モジュール２及び日車２１とソーラーパネル５との間には支持シート２５（図５（ａ）、図５（ｂ）参照）が配置されることが好ましい。
【００２２】
図２に示すように、ソーラーパネル５は、時計１００に組み込んだ際に１２時−６時方向に延在する方向（これを以下「長手方向」と言う）の長さがモジュール２の径とほぼ等しくなっており、この長手方向に対して面方向に直交し時計における９時方向に張り出す張出方向の端部がモジュール２の９時側の端部とほぼ等しい位置に配置されるようになっている。
また、ソーラーパネル５には指針軸１９ａに対応する位置に指針軸１９ａを挿通させる貫通孔５３ａが設けられている。さらに、各インダイヤル１８に設けられる指針軸１９ｂに対応する位置には指針軸１９ｂを挿通させる貫通孔５３ｂが設けられている。
【００２３】
ソーラーパネル５は、複数のソーラーセル５１で構成され光を受光することで発電する発電機能を有する複数の発電機能部６と、複数の発電機能部６同士を電気的に接続させる接続部５５及び複数の発電機能部６を構成する複数のソーラーセル５１同士を電気的に接続させる接続部５６とを備えている。
図３は、本実施形態のソーラーパネルの平面図である。
図２及び図３に示すように、本実施形態のソーラーパネル５は、５つに分割されたソーラーセル５１ａ〜５１ｅで構成された３つの発電機能部６ａ〜６ｃと、複数の発電機能部６ａ〜６ｃ同士を電気的に接続させる接続部５５及び複数の発電機能部６ａ〜６ｃを構成する複数のソーラーセル５１ａ〜５１ｅ同士を電気的に接続させる接続部５６ａ〜５６ｄとを備えている。各々のソーラーセル５１ａ〜５１ｅは、３つの発電機能部６ａ〜６ｃに対応する発電領域と接続部５５に対応する接続領域を備えている。つまり、ソーラーセル５１ｅは、発電機能部６ａに対応する発電領域、接続部５５に対応する接続領域、発電機能部６ｂに対応する発電領域、接続部５５に対応する接続領域、発電機能部６ｃに対応する発電領域、を備える１つのソーラーセルである。他のソーラーセル５１ａ〜５１ｄも同様に構成されている。
【００２４】
なお、ソーラーパネル５に設けられるソーラーセル５１の数は５つに限定されず、さらに多くてもよいし、少なくてもよい。
また、ソーラーパネル５に設けられる発電機能部６の数は３つに限定されず、さらに多くてもよいし、少なくてもよい。
さらに、発電機能部６の配置、形状、数等は、組み込み先の機器における高透過領域（本実施形態では文字板１６の高透過領域Ａｒ１〜Ａｒ３）の配置、形状、数等に応じて設定される。
例えば、５００Ｌｘの環境下で発電した場合に満充電状態を得られる二次電池がある場合に、高透過領域（本実施形態では文字板１６の開口部１８１である高透過領域Ａｒ１〜Ａｒ３）の面積とほぼ等しい面積の発電機能部６によって光による発電を行うと５００Ｌｘ相当の電圧を得ることができ、二次電池の満充電電圧を十分に上回ることが可能となる。これに対して、高透過領域の面積よりも広い面積の発電機能部６によって光による発電を行うと発電効率が低下してしまい、例えば５０Ｌｘ相当程度の電圧しか得ることができず、二次電池の満充電電圧を上回ることが困難となる。
このため、発電機能部６の配置、形状等は、できるだけ組み込み先の機器の高透過領域の配置、形状等と一致させることが好ましい。
本実施形態では、文字板１６の開口部１８１である高透過領域Ａｒ１〜Ａｒ３とソーラーパネル５の発電機能部６ａ〜６ｃとが、ほぼ等しい配置、形状となるように設計されている。
そして、ソーラーパネル５の発電機能部６ａ〜６ｃは、時計１００内に組み込まれた状態において、切欠き部である文字板の開口部１８１から露出し、十分に光を受光して発電できるようになっている。
【００２５】
また、ソーラーパネル５のうち、ソーラーセル５１ａ〜５１ｅや接続部５５，５６が設けられていない部分は発電に寄与しない非発電部７となっている。
非発電部７は、ソーラーパネル５を機器に組み込んだ際にソーラーパネル５の位置決めや固定を行う部分となる。
本実施形態では、前述のように、モジュール２におけるアナログ時計における１２側と６時側にボス２２が設けられている。これに対応して、ソーラーパネル５の非発電部７におけるボス２２に対応する位置には係止凹部７１が形成されている。
また、モジュール２におけるアナログ時計における９側には時計の厚み方向に突出する突状部２３があり、ソーラーパネル５の非発電部７における突状部２３に対応する位置には突状部２３と嵌り合う形状の切欠き部７２が形成されている。
係止凹部７１にボス２２が嵌るとともに、切欠き部７２に突状部２３が嵌るようにソーラーパネル５をモジュール２上に配置することで、ソーラーパネル５がモジュール２に対して、モジュール２の外周部に少なくとも３点で位置決めされ、固定支持されるようになっている。
このような構成とすることで、ソーラーパネル５がモジュール２の上に配置されている日車２１の上方に架橋するように配置され、ソーラーパネル５に多少の反りや撓みが生じたとしても日車２１の表面に接触、干渉しないようになっている。
なお、ソーラーパネル５全体の形状は図示例に限定されず、組み込み先の機器（本実施形態では時計１００）の形状や実装状況に応じて適宜設定される。
発電に寄与しない非発電部７は、できるだけ削った方がソーラーパネル５全体の小型化・軽量化に資するが、ソーラーパネル５は反りや撓みを生じやすいシート状の部材であるため、組み込み先の機器への固定等に必要最小限の部分は残して安定した組み込みを行うことが好ましい。
【００２６】
本実施形態においてソーラーセル５１ａ〜５１ｅによって、発電機能部６ａ〜６ｃを構成している部分と、各発電機能部６ａ〜６ｃ同士を接続する接続部５５として機能する部分とがある。
図３に示すように、各ソーラーセル５１ａ〜５１ｅは、接続部５５に対応する各接続領域を介して発電機能部６ａ〜６ｃを跨いで一繋がりとなっている。
【００２７】
また、ソーラーセル５１ａ〜５１ｅは直列接続されており、１つのソーラーパネルとして機能するようになっている。
具体的には、ソーラーセル５１ａは接続部５６ａにおいて隣接するソーラーセル５１ｂと電気的に接続され、ソーラーセル５１ｂは接続部５６ｂにおいて隣接するソーラーセル５１ｃと電気的に接続され、ソーラーセル５１ｃは接続部５６ｃにおいて隣接するソーラーセル５１ｄと電気的に接続され、ソーラーセル５１ｄは接続部５６ｄにおいて隣接するソーラーセル５１ｅと電気的に接続される。
また、ソーラーパネル５には、接続部５７ａを介してソーラーセル５１ａと接続されているソーラーセル５１ａ側の端子部５２ａと、接続部５７ｂを介してソーラーセル５１ｅと接続されているソーラーセル５１ｅ側の端子部５２ｂとが設けられている。
ソーラーパネル５を機器に組み込んだ状態において、ソーラーセル５１ａ側の端子部５２ａがコネクタ２４ａを介して図示しない基板上の＋電極と電気的に接続され、ソーラーセル５１ｅ側の端子部５２ｂがコネクタ２４ｂを介して図示しない基板上の−電極と電気的に接続される（図２参照）。
これにより、５つのソーラーセル５１ａ〜５１ｅは、直列接続された状態で基板と電気的に接続される。
【００２８】
なお、接続部５５，５６ａ〜６ｄの位置や形状、端子部５２ａ，５２ｂ、接続部５７ａ，５７ｂの位置や形状等は、図示例に限定されない。
また、ソーラーパネル５と基板とを電気的に接続する接続位置、すなわち、図示しない基板上の２つの電極や２つのコネクタ２４ａ，２４ｂの位置は、５つのソーラーセル５１ａ〜５１ｅが直列接続されつつ基板とも電気的に接続される位置であれば特に限定はされず、例えばソーラーセル５１ｃやソーラーセル５１ｄ上であってもよい。
【００２９】
発電機能部６ａ〜６ｃは、それぞれ５つのソーラーセル５１ａ〜５１ｅに分割されていることにより、発電機能部６ａ〜６ｃの上方で運針される主要指針１７ａ及び小指針１７ｂによって発電機能部６ａ〜６ｃの上にできる影の影響を分散させる。これにより、指針の影による発電効率への影響をできる限り低く抑えることができる。
なお、ソーラーセル５１の分割の仕方はここに例示したものに限定されない。指針の影による発電効率への影響を抑えることができるように分割すればよく、各種の形状に分割することが可能である。
【００３０】
また、５つのソーラーセル５１ａ〜５１ｅの間の出力電流に差が生じると、３つの発電機能部６ａ〜６ｃ全体としての出力電流値は最も出力電流値の小さいソーラーセル５１に合せて小さくなってしまう。
このため、できるだけ発電効率を上げるために、各ソーラーセル５１ａ〜５１ｅは、それぞれの出力電流がほぼ等しくなるように、発電機能部６ａ〜６ｃを構成している部分におけるソーラーセル５１ごとの面積がほぼ等面積となるように形成されていることが好ましい。
【００３１】
図４（ａ）、図４（ｂ）、図４（ｃ）は、それぞれ図３におけるＡ−Ａ線、Ｂ−Ｂ線、Ｃ−Ｃ線に沿う断面図である。
図４（ａ）に示すように、ソーラーパネル５における発電機能部６は、基材５１０の上に裏面電極５１１が形成され、さらにその上に半導体層５１２、透明電極５１３が順に積層された積層構造となっている。また、この積層構造の全体を被覆するように封止材（保護層）５１４が設けられている。
また、発電機能部６の外側の非発電部７は、基材５１０の上に単に封止材５１４が設けられている構成となっている。非発電部７は発電に寄与しない部分であり、ソーラーパネル５を組み込む先の機器の形状等に応じて適宜削ることが可能である。
【００３２】
基材５１０は、フレキシブルなフィルム状の基板である。基材５１０を形成する材料は特に限定されないが、例えばプラスチック等で形成される。
裏面電極５１１は、例えばアルミニウム導体等の金属材料を含んで形成されている。なお、裏面電極５１１を形成する材料はこれに限定されない。
半導体層５１２は、例えばアモルファスシリコン（a-Si:H）等で形成されている。半導体層５１２としては、例えばｐ型半導体とｎ型半導体とが接合されたｐｎ接合型の半導体が用いられる。
裏面電極５１１や半導体層５１２は、例えば、基材５１０の上に蒸着等の手法により積層形成される。なお、基材５１０上に裏面電極５１１や半導体層５１２を設ける手法はこれに限定されない。
また、透明電極５１３は、例えば、酸化亜鉛、酸化インジウム、酸化スズ等をガラス等の基板上に結晶化させることで形成されている。なお、透明電極５１３を形成する材料や形成手法はこれに限定されない。
封止材５１４は、絶縁材料によって形成されている。ソーラーパネル５は、封止材５１４の量（封止材５１４を設ける厚み）によって発電機能部６とそれ以外の部分との厚みを調整することにより、ソーラーパネル５全体がほぼ同等の厚みとなるようになっている。なお、封止材５１４を形成する材料や形成手法は特に限定されない。
【００３３】
ソーラーパネル５における各発電機能部６ａ〜６ｃには、それぞれそのほぼ中央部に後述する指針（機能針）１７ｂの指針軸１９ｂを挿入する貫通孔５３ｂが設けられており、図４（ｂ）は、発電機能部６ａにおいて貫通孔５３ｂが形成されている部分の断面（Ｂ-Ｂ線に沿う断面）を示したものである。
図４（ｂ）に示すように、発電機能部６ａのうち貫通孔５３ｂ部分では、基材５１０、裏面電極５１１、半導体層５１２、透明電極５１３、封止材５１４全てを貫通して貫通孔５３ｂが形成されているとともに、封止材５１４が貫通孔５３ｂの内側にも設けられて、裏面電極５１１、半導体層５１２、透明電極５１３の端面が貫通孔５３ｂ内側において露出しないように封止材５１４によって被覆され絶縁されている。
【００３４】
図４（ｃ）は、接続部５５の設けられている部分の断面（Ｃ-Ｃ線に沿う断面）を示したものである。
図４（ｃ）に示すように、接続部５５の設けられている部分（すなわち後述の「発電機能を有さない」部分）では、発電機能部６ａを構成する基材５１０、裏面電極５１１、半導体層５１２、透明電極５１３、封止材５１４のうち、透明電極５１３を除去する処理を行い、透明電極５１３に代えて導電層５１６を配置して、半導体層５１２と導電層５１６との間に絶縁層５１５を設けている。なお、接続部５５の設けられている部分（すなわち後述の「発電機能を有さない」部分）は、図２のソーラーパネル５に示すように、ソーラーセル５１ａ及び５１ｂは図４（ａ）と同様の構成とし、ソーラーセル５１ｃ〜５１ｅは図４（ｃ）と同様の構成であっても良い。  透明電極５１３を除去する手法は特に限定されず、例えばレーザーによる加工処理等が用いられる。なお、接続部５５の設けられている部分では、透明電極５１３の他、裏面電極５１１、半導体層５１２についても除去してもよい。
また、絶縁層５１５は絶縁材料で形成された層であればよく、その具体的な材料や形成手法は特に限定されない。
導電層５１６は、各種の導電材料で形成することができ、その具体的な材料や形成手法は特に限定されない。
なお、図示は省略するが、接続部５６ａ〜５６ｄについても図４（ｃ）に示すのと同様の構成となっている。
【００３５】
本実施形態において、各発電機能部６ａ〜６ｃを構成するソーラーセル５１ａ〜５１ｅ同士をソーラーセル５１ａ〜５１ｅごとに一繋がりに接続する接続部５５及び各ソーラーセル５１ａ〜５１ｅ同士を接続する接続部５６ａ〜５６ｄはともに発電機能を有さない。
ここで「発電機能を有さない」とは、接続部５５及び接続部５６ａ〜５６ｄが光を受光することで発電するための仕組み自体を備えない場合の他、光によって発電する仕組み自体は備えているが、光を受光することができないように接続部５５及び接続部５６ａ〜５６ｄが遮光状態となる場合や、接続部５５及び接続部５６ａ〜５６ｄを極僅かな領域にとどめることで発電機能部の発電効率に影響を及ぼさず、発電機能部として実質的に機能しない場合等を含む概念とする。よって、各々のソーラーセルにおいて、複数の発電機能部に対応する複数の発電領域を接続する接続部に対応する接続領域は、複数の発電領域より発電量が小さくなる。
本実施形態では、接続部５５及び接続部５６ａ〜５６ｄについて透明電極５１３を除去して図４（ｃ）に示す構成をとることにより、接続部５５及び接続部５６ａ〜５６ｄを、光を受光することで発電するための仕組みを備えない構成とすることができる。
なお、本実施形態のように、文字板１６が光を透過させない材料で形成されている場合には、開口部１８１以外の部分では文字板１６の下に配置されることで遮光された状態となる。このため、開口部１８１以外の文字板１６の下方に配置される部分は透明電極５１３を除去しないままでも発電機能部として機能しない部分とすることができる。また、図２のソーラーパネル５に示す接続部５５については、ソーラーセル５１ｃ〜５１ｅは透明電極５１３を除去して図４（ｃ）に示す構成をとることにより、光を受光することで発電するための仕組みを備えない構成とし、ソーラーセル５１ａ及び５１ｂは開口部１８１以外の部分で文字板１６の下方に配置されるため、透明電極５１３を除去しないで図４（ａ）に示す構成をとることにより、接続部５５を「発電機能を有さない」部分とすることができる。
【００３６】
また、本実施形態では、ソーラーパネル５に設けられている３つの発電機能部６ａ，６ｂ，６ｃは、それぞれインダイヤル１８に対応する位置に設けられている。
図５（ａ）は、インダイヤル１８部分とその周辺の要部断面図である。
図５（ａ）に示すように、文字板１６における各インダイヤル１８部分に対応する部分には開口部１８１が形成されており、文字板１６の下方に配置されたソーラーパネル５の発電機能部６ａ，６ｂ，６ｃがそれぞれ各インダイヤル１８の開口部１８１から露出するようになっている。
なお、図５（ａ）では、図示を省略しているが、開口部１８１から露出するソーラーパネル５の発電機能部６ａ，６ｂ，６ｃの表面に、光透過性を有する各種シート（例えば各種小文字板のデザインが印刷された加飾シートや時字部分のみ印刷されたシート等）を貼着してもよい。
また、ソーラーパネル５の発電機能部６ａ，６ｂ，６ｃの表面には何ら貼着等をせず、インダイヤル１８の開口部１８１の周縁部分に目盛りや時字等を設けてもよい。
【００３７】
さらに、図５（ｂ）に示すように、各インダイヤル１８の開口部１８１に、光透過性を有する透明な樹脂やガラス（例えばサファイヤガラス等）等の透過性保護部材１８２を圧入等により嵌め込んでソーラーパネル５の発電機能部６ａ，６ｂ，６ｃが直接露出しないようにしてもよい。この場合には、さらに、透過性保護部材１８２の表面側や裏面側に光透過性を阻害しない範囲内で印刷や蒸着等により小文字板のデザインや時字、目盛り等の加飾を施したり、時字の植え付け等を行ったりしてもよい。
【００３８】
また、文字板１６側に、ソーラーパネル５の位置決め及び固定を行う位置決め固定部を設けてもよい。
例えば、図５（ｃ）に示すように、文字板１６におけるインダイヤル１８の開口部１８１の周縁部であって文字板１６の下側にソーラーパネル５に向かって位置決め固定部としてのボス１６５を突出させるとともに、ソーラーパネル５の非発電部７にこのボス１６５を受け入れる係止部５８を形成してもよい。
この場合、文字板１６側のボス１６５をソーラーパネル５側の係止部５８に嵌め込み又は接着固定等することにより、ソーラーパネル５が文字板１６側に固定され、文字板１６と一体化される。
なお、図５（ｃ）では係止部５８が凹部である場合を例示しているが、係止部５８は厚み方向に貫通した孔部であってもよい。
さらに、例えば、図５（ｄ）に示すように、係止部５９が孔部である場合には、文字板１６側の位置決め固定部としてのボス１６６が孔部である係止部５９の内径よりも大きな外径を有するボス頭部１６７を備えてもよい。
この場合、文字板１６側のボス１６６のボス頭部１６７をソーラーパネル５側の係止部５９に圧入等により嵌め込む。これにより、ソーラーパネル５が文字板１６側により確実に固定され、文字板１６と一体化される。
図５（ｃ）、図５（ｄ）に示すように、ソーラーパネル５を文字板１６と一体化させた場合には、ソーラーパネル５をモジュール２側で位置決め、固定する必要がなく、モジュール２にボス２２や突状部２３等を設けなくてもよい。
【００３９】
次に、本実施形態におけるソーラーパネル５及び時計１００の作用について説明する。
本実施形態のソーラーパネル５は、上面に日車２１が配置されたモジュール２の上にソーラーパネル５を配置する。このとき、係止凹部７１にボス２２が嵌るとともに、切欠き部７２に突状部２３が嵌るようにソーラーパネル５をモジュール２上に配置する。これにより、ソーラーパネル５が、モジュール２の外周部に少なくとも３点で位置決めされ、固定支持される。
さらにソーラーパネル５の上に文字板１６を配置する。このとき、インダイヤル１８の開口部１８１である高透過領域Ａｒ１〜Ａｒ３がソーラーパネル５の発電機能部６ａ〜６ｃに対応するように配置され、開口部１８１から発電機能部６ａ〜６ｃが露出する。
これにより、開口部１８１から光が入射した際、発電機能部６ａ〜６ｃにおいて効率よく光発電が行われ、発電により得られた電力が二次電池に蓄えられる。そして、二次電池からモジュール２のモータ等の各種動作部に電力が供給されて時計１００が駆動する。
【００４０】
本実施形態によれば、ソーラーパネル５が、複数のソーラーセル５１ａ〜５１ｅで構成され光を受光することで発電する発電機能を有する複数の発電機能部６ａ〜６ｃを有し、これら複数の発電機能部６ａ〜６ｃ同士及び複数の発電機能部６ａ〜６ｃを構成する複数のソーラーセル５１ａ〜５１ｅ同士を電気的に接続させる接続部５５，５６を有している。このため、ソーラーパネル５全体として指針１７ａ，１７ｂの影等の影響を受けずに効率よく発電を行うことができる。
また、接続部５５，５６は発電機能を有さないため、発電機能部６ａ〜６ｃの発電効率に影響を及ぼさない。
【００４１】
また、時計１００において本実施形態のソーラーパネル５を文字板１６とモジュール２との間に配置した場合に、文字板１６が光の透過率の高い高透過領域Ａｒ１〜Ａｒ３と、この高透過領域Ａｒ１〜Ａｒ３よりも光の透過率の低い低透過領域とを有し、高透過領域Ａｒ１〜Ａｒ３をソーラーパネル５における発電機能部６ａ〜６ｃが配置される領域に対応して設けている。
これにより、発電機能部６ａ〜６ｃの発電効率を良好にすることができる。
また、文字板１６における高透過領域Ａｒ１〜Ａｒ３に発電機能部６ａ〜６ｃを集約することができ、文字板１６全体と同じ形状のソーラーパネル５を文字板１６の下全体に配置する場合と比べて、文字板１６を形成する材料を自由に選択可能となる（光透過性のない材料でも選択できる）とともに、ソーラーパネル５の組み込みや時計全体の構成、デザイン等の自由度が向上する。
【００４２】
また、ソーラーパネル５を時計１００に組み込む場合でも発電機能部６ａ〜６ｃを複数有するとともに、これら複数の発電機能部６ａ〜６ｃ同士及び複数の発電機能部６ａ〜６ｃを構成する複数のソーラーセル５１ａ〜５１ｅ同士を電気的に接続させる接続部５５，５６を有する構成とすることができる。
この場合にも接続部５５，５６については発電機能を有さないとすることで、発電機能部６ａ〜６ｃの発電効率に影響を及ぼさないようにすることができる。
【００４３】
また、本実施形態では、文字板１６の高透過領域Ａｒ１〜Ａｒ３は、文字板１６の一部を切り欠くことで形成された切欠き部としての開口部１８１であり、ソーラーパネル５の発電機能部６ａ〜６ｃは、開口部１８１から露出している。
このため、文字板１６自体を金属やセラミック等の光を透過させない材料で形成した場合でも十分な発電量を得ることができる。
このように、本実施形態では、文字板１６を形成する材料がポリカーボネート等の光を透過させる材料に限定されず、全く光を透過しないものも含めて各種の材料で文字板１６を形成することができる。
このため、文字板１６に印刷や蒸着等の特別な加工を施さなくても、高級感の演出や自由なデザイン等が可能となり、意匠性に優れた時計を実現することができる。
【００４４】
また、文字板１６に、ソーラーパネル５の位置決め及び固定を行う位置決め固定部としてボス（図５（ｃ）のボス１６５、図５（ｄ）のボス１６６）を設けた場合には、ソーラーパネル５はこれらの位置決め固定部により文字板１６に位置決め固定される。
この場合、モジュール２側での位置決め固定が不要となることから、ソーラーパネル５の形状等に応じた位置にボス２２や突状部２３等を設ける必要がなく、どのようなデザイン形状の文字板１６及びこれに対応したソーラーパネル５を用いる場合にもモジュール２を共通化して用いることができる。
【００４５】
また、本実施形態では、ソーラーパネル５を、モジュール２の外周部に少なくとも３点（本実施形態ではアナログ時計における１２時側、９時側、６時側の３点）で固定支持する例を示している。
このような構成とすることで、ソーラーパネル５とモジュール２との間に、モジュール２の周縁部に沿うリング状の日車２１を配置した場合にも、ソーラーパネル５がモジュール２の上に配置されている日車２１の上方に架橋するように配置され、ソーラーパネル５に多少の反りや撓みが生じたとしても日車２１の表面に接触、干渉しないようにすることができる。
【００４６】
また、ソーラーパネル５の上方で運針される指針１７ａ，１７ｂを備える場合、スリープ時に発電機能部６ａ〜６ｃと重ならない位置で指針１７ａ，１７ｂを停止させることで、ソーラーパネル５が指針１７ａ，１７ｂの影等の影響を受けずに効率よく発電を行うことができる。
【００４７】
なお、以上本発明の実施形態について説明したが、本発明は、かかる実施形態に限定されず、その要旨を逸脱しない範囲で、種々変形が可能であることは言うまでもない。
【００４８】
例えば、上記各実施形態では、図２及び図３において、発電機能部６ａ〜６ｃを構成する部分と接続部５５，５６を構成する部分とでソーラーセル５１ａ〜５１ｅの幅が同じである場合を例示したが、例えば、図６に示すように、発電機能部６ａ〜６ｃを構成する部分よりも接続部５５及び接続部５６（５６ａ〜５６ｄ）は狭く、細線化してもよい。
接続部５５，５６を細線化することにより、透明電極５１３を除去せず、発電機能部６ａ〜６ｃと同様に光によって発電する仕組み自体は備えつつ、接続部５５及び接続部５６ａ〜５６ｄを幅の狭い極狭窄領域とすることで実質的に発電機能部として機能しないようにする。
これによれば、透明電極５１３を除去して導電層５１６に置き換える等の処理をする必要がないため、製造が比較的容易である。また、接続部５５及び接続部５６ａ〜５６ｄを細線化した分、基材５１０と封止材５１４とからなる非発電部７となる領域が増え、ソーラーパネル５を組み込む先の機器の形状等に応じて非発電部７を削ることで、ソーラーパネル５全体の小型化・軽量化を図ることも可能となる。
【００４９】
また、本実施形態では、ソーラーパネル５が３つの発電機能部６ａ〜６ｃを備えている場合を例示したが、発電機能部６の数や形状、配置等は実施形態中に例示したものに限定されない。
例えば、図７に示すように、ソーラーパネル５は発電機能部６ｄを１つのみ備えているものであってもよい。
この場合も、発電機能部６ｄの上方で運針される主要指針１７ａ及び小指針１７ｂによって発電機能部６ｄの上にできる影の影響を分散させるために、発電機能部６ｄは複数のソーラーセル５１（例えば５つのソーラーセル５１ａ〜５１ｅ）に分割されていることが好ましい。これにより、指針の影による発電効率への影響をできる限り低く抑えることができる。
なお、できるだけ発電効率を上げるために、ソーラーセル５１ａ〜５１ｅそれぞれの出力電流がほぼ等しくなるよう、各ソーラーセル５１をほぼ等面積となるように形成することが好ましい点は発電機能部６を複数備える場合と同様である。
なお、ソーラーセル５１の分割の仕方はここに例示したものに限定されない。指針の影による発電効率への影響を抑えることができるように分割すればよく、例えば渦巻状や同心円状等、各種の形状に分割することが可能である。
発電機能部６ｄが５つのソーラーセル５１ａ〜５１ｅで構成されている場合には、実施形態中に例示したものと同様に接続部５６ａ〜５６ｄによってソーラーセル５１ａ〜５１ｅ同士を直列接続する。
また、ソーラーパネル５を機器に組み込む際には、接続部５７ａを介してソーラーセル５１ａと接続されているソーラーセル５１ａ側の端子部５２ａを基板上の＋電極と電気的に接続し、接続部５７ｂを介してソーラーセル５１ｅと接続されているソーラーセル５１ｅ側の端子部５２ｂを基板上の−電極と電気的に接続する。
【００５０】
発電機能部６ｄは、例えばインダイヤル１８のフェイスに対応する開口部１８１等、文字板１６における高透過領域に対応して設けられるようになっており、この高透過領域が文字板１６の周縁部から遠い部分にあるような場合には、基板上の＋電極・−電極をモジュール２の周縁部近傍ではなく、高透過領域が配置されている部分に近い位置に設けてもよい。
この場合、基板上の＋電極・−電極とソーラーパネル５側の端子部５２ａ，５２ｂとを繋ぐコネクタ２４ａ，２４ｂが見切り部材１６３によって目隠しされない状態となるが、文字板１６が金属等の光を透過させない材料で形成されている場合には、見切り部材１６３等でコネクタ２４ａ，２４ｂに対応する部分を隠さなくてもコネクタ２４ａ，２４ｂによる圧力痕等が視認側から見えず外観に影響を及ぼさない。
また、ソーラーパネル５がモジュール２の周縁部から離れた位置に配置される場合には日車２１等と接触する可能性も低くなり、多少の反りや撓みであれば許容できる可能性もある。このため、モジュール上にボス等を設けて、ソーラーパネル５をこれに片持ち支持させる構成等も考えられる。
また、図５（ｃ）、図５（ｄ）に示した構成等により、ソーラーパネル５を文字板１６側に支持させてもよい。
【００５１】
また、本実施形態では、ソーラーパネル５のソーラーセル５１ａ〜５１ｅがアモルファスシリコン（a-Si:H）等で形成された半導体層５１２を備えるアモルファスシリコン系のソーラーパネルである場合を例示したが、ソーラーパネル５の構成はこれに限定されない。
例えば、ガリウム(Ga)とヒ素(As)の２種類でできた化合物半導体によって発電する方式であるガリウム系（薄膜結晶系）のソーラーパネルを適用してもよい。
この場合には、アモルファスシリコン系のソーラーパネルと比較してほぼ５倍の発電効率を実現することができ、例えばインダイヤル１つ分の開口部１８１があれば、時計１００全体の必要電力を賄うことのできるソーラーパネル５を配置することも可能となる。
【００５２】
また、本実施形態では、アナログ時計における１２時側、９時側、６時側の３点においてソーラーパネル５を位置決めし、固定支持する構成を例示したが、ソーラーパネル５を位置決めし、固定支持する構成はここに示した例に限定されない。
例えば、ソーラーパネル５がここで例示しているものよりもさらに小型・軽量である場合には、３点で固定支持しなくても反りや撓みによる周辺部材への干渉を抑えることも可能であり、その場合には、２点や１点で片持ち支持によりソーラーパネル５を固定支持してもよい。
特に、前述のガリウム系（薄膜結晶系）のソーラーパネル５のように文字板１６全体よりもかなり小さな面積の発電機能部６（例えば図７の発電機能部６ｄ）を有するソーラーパネル５を備えることで足りる場合には、ソーラーパネル５をモジュール２や日車２１の上方に架橋して固定を行うような構成をとることなく、高透過領域となる開口部１８１を有するインダイヤル周辺に係止用の突起等を設けてソーラーパネル５を１点で片持ち支持させる等の構成としてもよい。
【００５３】
また、上記のような小型のソーラーパネル５（例えば図７のソーラーパネル５）を時計１００に組み込む場合には、例えばモジュール２における文字板１６に対向する面であってソーラーパネル５に対応する位置に、ソーラーパネル５が配置される凹部を形成して、組み込み状態においてソーラーパネル５が凹部内に収容され、モジュール２の表面とほぼ面一となる構成等としてもよい。
この場合、日車２１等を避けてソーラーパネル５をモジュール２と文字板１６との間に浮かせるような構成を取る必要がないため、ソーラーパネル５の反りや撓みを気にする必要がなく、また、ソーラーパネル５が凹部内に収容するだけで位置決めも可能となり、固定のための部材や組み込み時の手間を省くことができる。
【００５４】
また、時計１００は、例えば電波を受信するためのアンテナ装置（例えば図８に示すＧＰＳアンテナ９等）を備えていてもよい。
ＧＰＳアンテナ９は、円偏波のマイクロ波であるＧＰＳ電波（すなわち、ＧＰＳ衛星から送信される時刻情報等を含む電波）を受信可能なものであり、例えばパッチアンテナが好適に用いられる。図８では、ＧＰＳアンテナ９が、ほぼ正方形に形成された放射電極９１を備えている例を示している。
図８に示すように、ＧＰＳアンテナ９がモジュール２上に設けられている場合、ソーラーパネル５が図７に示すソーラーパネル５と同様に発電機能部６ｅを１つ備える小型のものである場合には、ソーラーパネル５をＧＰＳアンテナ９の上に重ねて配置してもよい。
【００５５】
なお、円偏波アンテナであるＧＰＳアンテナ９は、放射電極９１の端部（周縁部）から放射パターンが広がっていく。
図８に示すＧＰＳアンテナ９のように放射電極９１がほぼ正方形に形成されている場合、各辺（周縁部）から広がる放射パターンが円偏波アンテナとしてのＧＰＳアンテナ９のアンテナ特性（アンテナの電波受信性能）に大きく影響する。
このため、ＧＰＳアンテナ９のアンテナ特性を良好にするためには、放射電極９１の各辺からの放射パターンの広がりを阻害しないことが重要である。
そこで、ソーラーパネル５をＧＰＳアンテナ９の上に重ねて配置する場合には、放射電極９１の端部（周縁部）にかからないように、図８に示すように、ソーラーパネル５をＧＰＳアンテナ９の放射電極９１のほぼ中央部に配置することが好ましい。
このような構成とすることにより、時刻情報を取得可能なＧＰＳアンテナ９と光によって発電するソーラーパネル５とを備える時計を、ＧＰＳアンテナ９のアンテナ特性、ソーラーパネル５の発電効率のいずれも犠牲にすることなく、良好な状態でコンパクトに時計内に実装することが可能となる。
【００５６】
また、本実施形態では、時計１００が、３つのインダイヤル１８を備えるアナログ方式の時計である場合を例示したが、時計１００の表示部１５の構成等は図示例に限定されない。
例えばインダイヤル１８の位置や数等は時計１００のデザイン等に応じて適宜設定される。
また、表示部１５は、液晶パネル等を備えるデジタル方式の表示部であってもよいし、主要指針１７ａ等を備えるアナログ方式の表示部と液晶パネル等を有するデジタル方式の表示部の両方を含んでいてもよい。
【００５７】
また、本実施形態では、文字板１６自体を金属等の光を透過しない材料で形成し、開口部１８１のみが高透過領域（ほぼ１００％の光透過率）であって、それ以外の部分は低透過領域（ほぼ０％の光透過率）である場合を例示したが、文字板１６を形成する材料は光を透過しない材料に限定されない。
例えば厚みの厚い厚肉部では１０％程度の光透過率だが、薄肉部では３０％程度の光透過率を確保できるような樹脂材料等で文字板１６を形成してもよい。
この場合、薄肉部が高透過領域となり、厚肉部が低透過領域となって、ソーラーパネル５の発電機能部６は薄肉部に対応する部分に配置される。
【００５８】
また、本実施形態では、発電機能部６が開口部１８１から露出している場合を例示したが、高透過領域は発電機能部６を露出させる部分に限定されない。
３０％程度の光透過率を確保できれば発電機能部６による発電は可能であるため、例えば文字板１６自体を金属等の光を透過しない材料で形成し、インダイヤル１８部分の開口部１８１には、光透過率３０％程度の樹脂材料で形成された小文字板を嵌装して、この小文字板に対応する部分にソーラーパネル５の発電機能部６を配置してもよい。
この場合、文字板１６全体とインダイヤル１８の小文字板とを異素材で形成することで、デザイン性に優れた外観の時計とすることができる。
【００５９】
また、本実施形態では、ソーラーパネル５を時計１００に組み込む場合を例示したが、ソーラーパネル５を組み込む機器は時計１００に限定されない。
ソーラーパネル５により発電を行い、発電された電力を駆動源として動作する機器であれば広く適用することが可能であり、例えば、歩数計、心拍計や脈拍計等の生体情報表示装置、移動距離や移動ペース情報、高度情報や気圧情報等の各種の情報を表示させる表示装置等であってもよい。
【００６０】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ソーラーセルを備えるソーラーパネルであって、
前記ソーラーセルは、複数の発電領域と、当該複数の発電領域を接続し、前記複数の発電領域より発電量が小さい接続領域と、を備えることを特徴とするソーラーパネル。
＜請求項２＞
複数のソーラーセルを備えるソーラーパネルであって、
前記複数のソーラーセルの各ソーラーセルは、複数の発電領域と、当該複数の発電領域を接続し、前記複数の発電領域より発電量が小さい接続領域と、を備え、
前記複数のソーラーセルの対応する各前記発電領域が隣接して配置された発電機能部が複数形成されていることを特徴とするソーラーパネル。
＜請求項３＞
前記接続領域は、前記発電領域よりも狭く形成されていることを特徴とする請求項１又は請求項２に記載のソーラーパネル。
＜請求項４＞
請求項２に記載のソーラーパネルと、
表示板と、を備え
前記表示板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられることを特徴とする表示装置。
＜請求項５＞
請求項２に記載のソーラーパネルと、
文字板と、
前記文字板の下に配置されたモジュールと、を備え、
前記文字板は、光の透過率の高い高透過領域と、前記高透過領域よりも前記光の透過率の低い低透過領域と、を備え、
前記高透過領域は、前記発電機能部が配置される領域に対応して設けられ、前記低透過領域は、前記接続領域が配置される領域に対応して設けられることを特徴とする時計。
＜請求項６＞
前記高透過領域は、前記文字板の一部を切り欠くことで形成された切欠き部であり、
前記ソーラーパネルの前記発電機能部は、前記切欠き部から露出することを特徴とする請求項５に記載の時計。
＜請求項７＞
前記文字板は、光を透過しない材料で形成されていることを特徴とする請求項６に記載の時計。
＜請求項８＞
前記文字板には、前記ソーラーパネルの位置決め及び固定を行う位置決め固定部が設けられており、前記ソーラーパネルは前記位置決め固定部により前記文字板に位置決め固定されることを特徴とする請求項５から請求項７のいずれか一項に記載の時計。
＜請求項９＞
前記ソーラーパネルと前記モジュールとの間には、前記モジュールの周縁部に沿うリング状の日車が配置されており、
前記ソーラーパネルは、前記モジュールの外周部に少なくとも３点で固定支持されることを特徴とする請求項５から請求項７のいずれか一項に記載の時計。
＜請求項１０＞
前記ソーラーパネルの上方で運針される指針を備え、
前記指針は、スリープ時に前記発電機能部と重ならない位置で停止することを特徴とする請求項５から請求項９のいずれか一項に記載の時計。
【符号の説明】
【００６１】
２              モジュール
５              ソーラーパネル
６ａ〜６ｃ      発電機能部
１６            文字板
１７ａ，１７    指針
１８            インダイヤル
２１            日車
２２            ボス
２３            突状部
２４            コネクタ
５１ａ〜５１ｅ  ソーラーセル
５５            接続部
５６ａ〜５６ｄ  接続部
１００          時計
１８１          開口部
Ａｒ１〜Ａｒ３  高透過領域
【図１】
2020204619.tif 000003
【図２】
2020204619.tif 000004
【図３】
2020204619.tif 000005
【図４】
2020204619.tif 000006
【図５】
2020204619.tif 000007
【図６】
2020204619.tif 000008
【図７】
2020204619.tif 000009
【図８】
2020204619.tif 000010